(57)【要約】      （修正有）【課題】商品にＲＦ−ＩＤタグを個別に装着せずに、商品陳列棚の商品の在庫管理を実現する。【解決手段】店舗内の商品陳列棚１０に光学センサー搭載ＲＦ−ＩＤタグ１を設置し、光学センサー搭載ＲＦ−ＩＤタグ１の光学センサー部により商品の有無を判別し、その判別結果を光学センサー搭載ＲＦ−ＩＤタグ１のＲＦ部より、店舗内設置のＲＦ−ＩＤタグ用リーダー１２に送信し、ＲＦ−ＩＤタグ用リーダー１２と接続された在庫管理装置１４で商品陳列棚の商品１５の在庫管理を可能にする。【選択図】図２
2006321624.tif 000002
【特許請求の範囲】
【請求項１】
商品陳列棚に陳列する商品の有無によって受光量が変化する位置に設置された光学センサー搭載ＲＦ−ＩＤタグと、前記光学センサー搭載ＲＦ−ＩＤタグからの信号を検出するＲＦ−ＩＤタグ用リーダーとにより商品陳列棚の商品の有無を判別するようにした商品陳列棚在庫管理システム。
【請求項２】
請求項１記載のＲＦ−ＩＤタグ用リーダーは、商品在庫管理装置と接続されたことを特徴とする商品陳列棚在庫管理システム。
【請求項３】
請求項１に記載の光学センサー搭載ＲＦ−ＩＤタグは、照度センサー搭載ＲＦ−ＩＤタグ又は光反射センサー搭載ＲＦ−ＩＤタグのいずれかを用いたことを特徴とする商品陳列棚在庫管理システム。
【請求項４】
請求項１に記載の光学センサー搭載ＲＦ−ＩＤタグの光学センサー部には、前記光学センサー部の感度を商品の透過光量に応じて調節する手段を有することを特徴とする商品陳列棚在庫管理システム。
【請求項５】
請求項１に記載の光学センサー搭載ＲＦ−ＩＤタグに外乱光の入光を抑止するフードを取り付けることを特徴とする商品陳列棚在庫管理システム。
【請求項６】
請求項２に記載の在庫管理システムは、前記商品陳列棚に商品が無いことを判別した場合に店舗の店員に前記商品陳列棚の当該商品の補充命令を画面上に表示することが可能なことを特徴とする商品陳列棚在庫管理システム。
【発明の詳細な説明】
【技術分野】
【０００１】
本発明は、店舗等において商品陳列棚に陳列されている商品を光学センサー搭載ＲＦ−ＩＤタグで検出することにより、商品陳列棚の商品の在庫管理等を簡素化するための商品管理システムに関するものである。
【背景技術】
【０００２】
従来、従業員の視認確認による商品陳列棚への商品の在庫補充では、手間がかかり効率的な在庫補充を行うことは難しく、人的作業を軽減できる安価な在庫補充のシステムが潜在的に求められている。
このため、近年、ＲＦ−ＩＤ（無線周波数識別：Ｒａｄｉｏ  Ｆｒｅｑｕｅｎｃｙ  Ｉｄｅｎｔｉｆｉｃａｔｉｏｎ）技術を利用したＲＦ−ＩＤタグシステムを用いた商品在庫管理システムが注目を浴びている。
ＲＦ−ＩＤタグシステムを用いた商品在庫管理システムでは、特許文献１に紹介する如く、商品陳列棚に並ぶ商品ごとに個別にＲＦ−ＩＤタグを取り付け、商品陳列棚等に予め設置したＲＦ−ＩＤタグ用リーダーと常時通信することで、リアルタイムの商品在庫管理を実現している。
この方法では、当然のことながら、すべての商品にＲＦ−ＩＤタグを取り付ける必要があるため、ＲＦ−ＩＤタグ自体の費用及び商品に個別装着する費用等が発生する。
【０００３】
また、特許文献１には、示されていないが、ＲＦ−ＩＤタグシステムでは、以下に示す事項が問題視されている。
ＲＦ−ＩＤタグは、当然のことながら非接触でＲＦ−ＩＤタグ用リーダーにより読み取り可能である。このため、例えば、第３者が若い女性の買い物の内容を把握しようと思えば、第３者はＲＦ−ＩＤタグ用リーダーをコートの下にでも隠し、この若い女性に近づけば、買い物袋内にあるＲＦ−ＩＤタグ付き商品の把握が、この女性に気づかれずに可能となる。このため、プライバシー保護の観点上、精算処理後のＲＦ−ＩＤタグを取り外す、若しくはＲＦ−ＩＤタグに記録された商品情報を消去する手段を講じる必要性が指摘されている。
【０００４】
さらに、１つの商品陳列棚にあるすべての商品を一括把握するためには、ＲＦ−ＩＤタグ用リーダーが、ＲＦ−ＩＤタグの同時読み取り可能数が限られているため、商品陳列棚に陳列する商品の総数を考慮して、商品陳列棚に設置するＲＦ−ＩＤタグ用リーダーの台数を決定する必要がある。
即ち、多数のＲＦ−ＩＤタグ用リーダーが商品陳列棚に設置されることになり、商品陳列棚のイニシャルコストがかさむと指摘されている。
【０００５】
さらに、このＲＦ−ＩＤタグ用リーダーの書き込み読み取り距離によっては、ＲＦ−ＩＤタグ用リーダー同士での相互干渉が生じる。このため、商品ごとに貼付したＲＦ−ＩＤタグには、どの商品陳列棚のどの位置にある商品なのか等の商品陳列位置情報を、個別に登録する必要がある。この手間も煩雑であることが指摘されている。
【０００６】
このため、商品自体に個別にＲＦ−ＩＤタグを装着することによって実現されるＲＦ−ＩＤタグを利用した商品在庫管理システムでは、ＲＦ−ＩＤタグ自体の費用及びＲＦ−ＩＤタグを商品に貼付するための費用及びＲＦ−ＩＤタグに商品陳列位置情報を登録するランニングコストに加え、多数のＲＦ−ＩＤタグ用リーダーを商品陳列棚に設置するイニシャルコスト及び精算処理後のＲＦ−ＩＤタグを取り外す、若しくはＲＦ−ＩＤタグに記録された商品情報を消去する手段を講じるイニシャルコストが、かさみ販売価格向上要因若しくは収益圧迫要因となることが懸念されている。
【特許文献１】特開２００５−３４３５８
【発明の開示】
【発明が解決しようとする課題】
【０００７】
そこで本発明の解決しようとする課題は、店舗内の商品陳列棚にある商品の在庫管理システムを提供するのにあたり、商品自体に個別にＲＦ−ＩＤタグを装着しないで、安価なＲＦ−ＩＤタグ利用した商品陳列棚にある商品の在庫管理システムを構築することである。
【課題を解決するための手段】
【０００８】
本発明の第１の態様は、商品陳列棚（１０）に陳列する商品（１５）の有無によって受光量が変化する位置に設置された光学センサー搭載ＲＦ−ＩＤタグと、前記光学センサー搭載ＲＦ−ＩＤタグからの信号を検出するＲＦ−ＩＤタグ用リーダー（１２）とにより商品陳列棚（１０）の商品（１５）の有無を判別するようにした商品陳列棚在庫管理システムである。
【０００９】
本発明の第２の態様は、第１の態様に記載のＲＦ−ＩＤタグ用リーダー（１２）は、商品在庫管理装置（１４）と接続されたことを特徴とする商品陳列棚在庫管理システムである。
【００１０】
本発明の第３の態様は、第１の態様に記載の光学センサー搭載ＲＦ−ＩＤタグは、照度センサー搭載ＲＦ−ＩＤタグ（１）又は光反射センサー搭載ＲＦ−ＩＤタグのいずれかを用いたことを特徴とする商品陳列棚在庫管理システムである。
【００１１】
本発明の第４の態様は、第１の態様に記載の光学センサー搭載ＲＦ−ＩＤタグの光学センサー部には、前記光学センサー部の感度を商品の透過光量に応じて調節する手段を有することを特徴とする商品陳列棚在庫管理システムである。
【００１２】
本発明の第５の態様は、第１の態様に記載の光学センサー搭載ＲＦ−ＩＤタグに外乱光の入光を抑止するフードを取り付けることを特徴とする商品陳列棚在庫管理システムである。
【００１３】
本発明の第６の態様は、第２の態様に記載の在庫管理システムは、前記商品陳列棚（１０）に商品（１５）がないことを判別した場合に店舗の店員に前記商品陳列棚の当該商品（１５）の補充命令を画面上に表示することが可能なことを特徴とする商品陳列棚在庫管理システムである。
【発明の効果】
【００１４】
本発明の商品陳列棚在庫管理システムでは、ランニングコストも安価で、かつ、イニシャルコストも安価な商品陳列棚の商品の在庫管理システムが構築可能であるという効果がある。
具体的には、商品陳列棚の一陳列につき光センサー搭載ＲＦ−ＩＤタグを設置することにより、商品陳列棚の商品を管理するため、商品個別にＲＦ−ＩＤタグを取り付ける必要がない。
このため、本発明の商品陳列棚在庫管理システムでは、ＲＦ−ＩＤタグを商品ごと個別に貼付する費用等の発生がなく、プライバシー保護対策上の精算処理後にＲＦ−ＩＤタグを取り外したり、若しくはＲＦ−ＩＤタグの商品データを消去する必要もなく、商品陳列棚に設置するＲＦ−ＩＤタグ用リーダーも必要がないことから、ランニングコスト及びイニシャルコストの低減が図れる。
さらに、商品陳列棚に設置するＲＦ−ＩＤタグ用リーダーは不要であり、ＲＦ−ＩＤタグ用リーダーの相互干渉が発生しないことに加え、商品自体に個別にＲＦ−ＩＤタグを装着しないため、ＲＦ−ＩＤタグに商品陳列棚の位置情報を記録する必要がないため、この手間も不要になる。
【発明を実施するための最良の形態】
【００１５】
以下、光学センサー搭載ＲＦ−ＩＤタグの例として、照度センサー搭載ＲＦ−ＩＤタグを利用した場合の本発明の実施形態について説明する。
図１は、本発明の照度センサー搭載ＲＦ−ＩＤタグの基本構成図である。図２は、本発明の商品陳列棚在庫管理システム基本構成等の説明図である。
【００１６】
図１に構成を示す照度センサー搭載ＲＦ−ＩＤタグ１は、アンテナ部２とＲＦインターフェース部３よりなるＲＦ部４、照度センサー部５、照度センサー感度調節部６、不揮発性メモリー部７、電池部８がそれぞれタグ制御部９に接続されているものである。
さらに、図示はしないが、照度センサー部５の前面には、照度センサー部５への外乱光の入光を抑止するフードの取り付けを可能とする機構を有する。
また、照度センサー感度調節部６の機能は、照度センサー５の感度を低く調節することも可能にするためのものである。この機能により、例えば、透明包装材料で包装された商品では、照度センサー部５に外部光が入光し、透明包装材料で包装された商品があるのにもかかわらず、照度センサー搭載ＲＦ−ＩＤタグ１は商品がないとの判別を防止することができる。
【００１７】
図２に示す商品陳列棚１０には、照度センサー搭載ＲＦ−ＩＤタグ１を商品陳列部の最後方に配置（１ａ、１ｂ）する。なお、照度センサー搭載ＲＦ−ＩＤタグ１の電源供給は、通常では電池部８によるため、照度センサー搭載ＲＦ−ＩＤタグ１へのＡＣ電源を供給する配線は不要である。
商品陳列棚１０のラック部１１の材質は、照度センサー搭載ＲＦ−ＩＤタグ１と店舗に設置したＲＦ−ＩＤタグ用リーダー１２との交信に影響しない材料を採用する。具体的には、プラスチック材料が好適である。
これは、照度センサー搭載ＲＦ−ＩＤタグ１と店舗に設置したＲＦ−ＩＤタグ用リーダー１２との間に電磁波を遮蔽するような全面金属材料があると非接触での交信が不可能になるためである。
【００１８】
図２に示す店舗に設置するＲＦ−ＩＤタグ用リーダー１２は、照度センサー搭載ＲＦ−ＩＤタグ１と非接触で交信可能で、かつ、照度センサー搭載ＲＦ−ＩＤタグ１よりの商品陳列棚の商品在庫情報を通信回線１３にて商品在庫管理装置１４に送信する機能を有する。
【００１９】
商品在庫管理装置１４は、パーソナルコンピュータ本体に表示装置を接続したパーソナルコンピュータシステムでも可能である。
【００２０】
本発明の利用形態について、以下に説明する。
照度センサー搭載ＲＦ−ＩＤタグ１は、図２に示す照度センサー搭載ＲＦ−ＩＤタグ前面に商品がある場合１ａには照度センサー部５に外部光が入光しないため、商品陳列棚１０には商品１５があると判別する。また、照度センサー搭載ＲＦ−ＩＤタグ前面に商品がない場合１ｂには照度センサー部５に外部光が入光するため、商品陳列棚１０には商品１５がないと判別する。
【００２１】
店舗に設置されたＲＦ−ＩＤタグ用リーダー１２は、照度センサー搭載ＲＦ−ＩＤタグ１の照度センサー部５による商品１５の有無の判別結果を読み取る。さらに、店舗に設置されたＲＦ−ＩＤタグ用リーダー１２は、照度センサー搭載ＲＦ−ＩＤタグ１による商品１５の有無の判別結果を通信回線で接続している商品在庫管理装置１４に送る。
【００２２】
商品在庫管理装置１４は、ＲＦ−ＩＤタグ用リーダー１２より送られた照度センサー搭載ＲＦ−ＩＤタグ１が商品陳列棚１０に商品１５の有無の判別結果により、商品陳列棚１０にある商品１５の在庫管理を実施する。
このため、商品在庫管理装置１４は、ＲＦ−ＩＤタグ用リーダー１２より送られた照度センサー搭載ＲＦ−ＩＤタグ１が商品陳列棚１０に商品１５がないとの情報にもとづき、店舗店員等に当該商品の補充命令を発する。
このように本発明では、店舗店員が、店舗内を巡回して商品陳列棚１０にある商品１５の在庫状況を確認する必要がないため、効率的な商品陳列棚への商品補充が可能になるものである。
【００２３】
本発明の商品陳列棚在庫管理システムは、以上、説明した実施例に拘泥されるこなく、変形実施も可能である。
具体的には、光学センサー搭載ＲＦ−ＩＤタグの光学センサーは、照度センサーで説明したが、光反射タイプの光学センサーであっても良い。
なお、光反射タイプの光学センサー搭載ＲＦ−ＩＤタグは、商品がある場合には商品からの反射光があるため、商品があると判別し、反射光がない場合には、商品からの反射光がないため、商品がないと判別するものである。
さらに、光学センサー以外にも、例えば、温・湿度センサーをも搭載したマルチセンサー搭載ＲＦ−ＩＤタグであっても良い。
マルチセンサー搭載ＲＦ−ＩＤタグでは、生鮮食品用商品陳列棚で利用すれば、商品在庫管理と共に商品陳列棚ごとの温・湿度のきめ細かい管理のための情報を得ることが可能になり、この情報にもとづき生鮮商品用商品陳列棚の冷凍機の温度管理を行えば、店舗の省エネルギーに貢献する。
また、光学センサー搭載ＲＦ−ＩＤタグは、電池を搭載するアクティブ型で説明したが、パッシブ型であっても良い。
また、ＲＦ−ＩＤタグ用リーダーと商品在庫管理装置とは、有線での通信回線接続で説明したが、当然のことながら、無線通信接続であっても良い。
また、商品在庫管理装置１４から店員が保有する携帯端末等に欠品情報を送信し、携帯端末が商品補充命令を表示することで、商品を補充することを実現しても良い。
【産業上の利用可能性】
【００２４】
本発明の商品陳列棚在庫管理システムは、流通分野は無論のこと、物流分野にも有効であり、具体的には製造部品のピッキング等に活用し、ピッキング棚でのピッキングされる部品の在庫管理に活用可能であるため、広範囲な分野での様々な用途にも適用できるものである。
【図面の簡単な説明】
【００２５】
【図１】本発明の照度センサー搭載ＲＦ−ＩＤタグの基本構成図。
【図２】本発明の商品陳列棚在庫管理システムの基本構成説明図。
【符号の説明】
【００２６】
１    照度センサー搭載ＲＦ−ＩＤタグ
２    アンテナ部
３    ＲＦインターフェース部
４    ＲＦ部
５    照度センサー部
６    照度センサー感度調節部
７    不揮発メモリー部
８    電池部
９    タグ制御部
１０    商品陳列棚
１１    ラック部
１２    ＲＦ−ＩＤタグ用リーダー
１３    通信回線
１４    商品在庫管理装置
１５    商品
【図１】
2006321624.tif 000003
【図２】
2006321624.tif 000004